(57)【要約】【課題】写真フィルムの反射率や写真フィルムの削れかすに影響されにくいパーフォレーションのカウント機構を備えたカメラを提供すること。【解決手段】金属片１１と圧板１３との間にパーフォレーションと次のパーフォレーションとの間の写真フィルム１０２の部分を交互に介在させ、静電容量の変化を検出してパーフォレーション１０３をカウントする。金属片１１を１つ付加し、静電容量の変化を検出することにより精度良くパーフォレーションのカウントを行なえる。【選択図】        図２
2005043691.tif 000002
【特許請求の範囲】
【請求項１】
長手方向に沿ってパーフォレーションが穿設されたロール状の写真フィルムが巻回されて収容されたケースが装填され、該ケース内から引き出された写真フィルム上に写真撮影を行なうカメラにおいて、
前記写真フィルムを給送する給送モータと、
前記写真フィルムに穿設されたパーフォレーションが通過する位置に設けられ該パーフォレーションの通過を静電容量の変化で検出するセンサと、
前記センサによる検出結果に基づいて、前記給送モータに前記写真フィルムを給送させるように、該給送モータを駆動するモータ駆動回路とを備えたことを特徴とするカメラ。
【発明の詳細な説明】
【技術分野】
【０００１】
本発明は、長手方向に沿ってパーフォレーションが穿設されたロール状の写真フィルムが巻回されて収容されたケースが装填され、そのケース内から引き出された写真フィルム上に写真撮影を行なうカメラに関する。
【背景技術】
【０００２】
長手方向に沿ってパーフォレーションが穿設されたロール状の写真フィルムが巻回されて収容されたケースがカメラ内部のフィルム装填室に装填され、そのケース内から引き出された写真フィルム上に写真撮影を行なうカメラがある。このようなカメラでは写真フィルムを一駒ずつ撮影面に給送して撮影が行なわれる。この給送が一駒ずつ行なわれるときには、長手方向に沿って穿設されたパーフォレーションの数がカウントされて撮影面に撮影駒が正しくセットされる。
【０００３】
このパーフォレーションのカウントを行なうときには、フォトリフレクタなどのセンサによりカウントが行なわれる（例えば特許文献１，２参照）。しかし、フォトリフレクタを使用する場合には、写真フィルムによって反射率が大きく異なることから、閾値の設定や素子の選別が難しいという問題がある。また、フォトリフレクタを配設する部分に孔を設けることが多いため、この孔にフィルム給送中に写真フィルムの削れかすがたまり、カウントに誤りが生じることもある。
【０００４】
またパーフォーレションに爪を引っかけるような回転スイッチを使用することも考えられるが、大きな配設スペースが必要になる。
【特許文献１】特開平２−７７０５６号公報
【特許文献２】特許第３００８３６０号公報
【発明の開示】
【発明が解決しようとする課題】
【０００５】
本発明は、上記事情に鑑み、写真フィルムの反射率や写真フィルムの削れかすに影響されにくいパーフォレーションのカウント機構を備えたカメラを提供することを目的とする。
【課題を解決するための手段】
【０００６】
上記目的を達成する本発明のカメラは、長手方向に沿ってパーフォレーションが穿設されたロール状の写真フィルムが巻回されて収容されたケースが装填され、そのケース内から引き出された写真フィルム上に写真撮影を行なうカメラにおいて、
上記写真フィルムを給送する給送モータと、
上記写真フィルムに穿設されたパーフォレーションが通過する位置に設けられ該パーフォレーションの通過を静電容量の変化で検出するセンサと、
上記センサによる検出結果に基づいて、上記給送モータに上記写真フィルムを給送させるように、その給送モータを駆動するモータ駆動回路とを備えたことを特徴とする。
【０００７】
上記本発明のカメラによれば、例えば撮影駒の規制を行なう圧板を一方の電極として使用し、他方の電極として金属片を１つ付加し、それらの電極の間に上記写真フィルムを介在させる機構を構成し、双方の電極をセンサとして作用させると、写真フィルム給送中に、その双方の電極間の状態を、その写真フィルムのパーフォレーションとそれらパーフォレーション間の写真フィルムとに変化させることができる。そうするとその電極間の静電容量がパーフォレーションと、パーフォレーションと次のパーフォレーションとの間の写真フィルムの部分とで変化するので、その静電容量の変化を検出することでパーフォレーションのカウントを精度良く行なえる。
【０００８】
したがっていままでのように光を用いる訳ではないので、写真フィルムの反射率が違うため閾値を設定することが難しいであるとか、また給送中に写真フィルムの削れかすがたまり、光が遮られてカウントを誤るであるとかの課題が改善される。
【発明の効果】
【０００９】
本発明のカメラによれば、写真フィルムの反射率や写真フィルムの削れかすに影響されにくいパーフォレーションのカウント機構を備えたカメラを提供することができる。
【発明を実施するための最良の形態】
【００１０】
以下図面を参照して本発明の実施の形態を説明する。
【００１１】
本実施形態のカメラはカメラの背面に開閉自在な裏蓋１２を備えている。
【００１２】
図１は、本実施形態のカメラ１を示す図であり、図１（ａ）はこのカメラ１から裏蓋１２を取り外し、カメラ背面側からカメラ内部を見た図、また図１（ｂ）は写真フィルムが収容されたケースここではパトローネ１０１からロール状の写真フィルム１０２が引き出された状態を示す図、また図１（ｃ）はこのカメラ１の裏蓋１２を背面から見た図、さらに図１（ｄ）はその裏蓋１２側の圧板１３の一部と金属片１１と写真フィルム１０２との係わりを示す図である。
【００１３】
このカメラ１では、図１（ｂ）に示すように長手方向に沿ってパーフォレーション１０３が穿設されたロール状の写真フィルム１０２が巻回されて収容されたパトローネ１０１が図１（ａ）に示すフィルム装填室１ｂに装填される。そのパトローネ１０１内から引き出されたロール状の写真フィルム１０２上に写真撮影が行なわれる。
【００１４】
図１（ａ）には、そのロール状の写真フィルム１０２が収容されたパトローネ１０１が装填されるフィルム装填室１ｂとそのパトローネ内から引き出された写真フィルムを巻き上げるスプール側１ｃの配置も図示されている。また図１（ａ）には、ファインダ１ｄやワイド／テレ切替スイッチ１ｅの配置も図示されている。
【００１５】
図１（ａ）に示すカメラ１には、フィルム装填室１ｂ内に装填されたパトローネ１０１内に収容され、引き出されたロール状の写真フィルム１０２のパーフォレーション１０３が通過する位置に金属片１１が設けられている。
【００１６】
この金属片１１を設けた位置に、写真フィルム１０２のパーフォレーション１０３が位置するように図１（ｃ）に示すパトローネ１０１から引き出されたロール状の写真フィルム１０２が配備される。
【００１７】
さらに、カメラ内部に写真フィルム１０２が配備されたら、カメラの裏蓋１２が閉じられ、裏蓋１２側にある圧板１３によって写真フィルム１０２が押圧され、写真フィルム１０２が完全にカメラ内部の撮影面１ａ上に配備される。この圧板１３の一部と金属片と写真フィルム１０２とで本発明にいうセンサの一部が構成される。
【００１８】
図１（ｄ）にはそのセンサの一部を構成する金属片１１と圧板１３の一部とが図示されている。図１（ｄ）に示すように、金属片１１と圧板１３の一部（ハッチングで示した部分）の間に写真フィルム１０２が介在しており、その金属片１１と圧板１３の一部の間をパーフォレーション１０３が通過する。この圧板１３は導電性部材からなるものであり、特に金属片１１と対向する部分には金属面が形成されている。したがって、金属片１１と圧板１３の一部によってコンデンサが形成され、このコンデンサとして作用する部分１４の静電容量が、金属片１１と圧板１３の一部との間に写真フィルム１０２のパーフォレーション１０３が介在するか、そのパーフォレーション１０３と次のパーフォレーション１０３との間の写真フィルム１０２の部分が介在するかによって変化する。この静電容量の変化を後述する位相差検出回路によって検出することによりパーフォレーション１０３のカウントを行なえる。このコンデンサとして作用する部分１４と後述する位相差検出回路とが本発明にいうセンサに当たる。
【００１９】
図２は、そのセンサの構成を示す図である。
【００２０】
このセンサは、コンデンサとして作用する部分１４とそのコンデンサとして作用する部分１４の静電容量の変化を検出する位相差検出回路１５とからなる。
【００２１】
ここではＣＰＵ１１０から位相差検出回路１５の双方の入力端子に第１の高周波信号を供給し、その第１の高周波信号を供給する一方の側にコンデンサとして作用する部分１４を接続して、第１の高周波信号Ａと第２の高周波信号Ｂとの間に位相差を与えている。したがって、その位相差を検出すれば静電容量の変化を検出することができる。
【００２２】
図３は静電容量の変化に応じて位相差検出回路１５から出力された信号の波形を示した波形図である。図３の縦軸は振幅、横軸は時間である。
【００２３】
図３には、写真フィルム１０２が金属片１１と圧板１３の一部との間を写真フィルムが通過したときに、パーフォレーション１０３が通過したときとパーフォレーション１０３間の写真フィルム１０２の部分が通過したときで位相差検出回路１５からどのような信号が出力されるかが示されている。
【００２４】
図３に示すように、パーフォレーション１０３が金属片１１と圧板１３との間に介在した状態から写真フィルム１０２が給送され、写真フィルム１０２が金属片１１と圧板１３との間に介在したときに位相差検出回路１５から点線Ｂの信号が出力されたとする。そうすると、ＣＰＵ１１０から供給されている第１の高周波信号（実線Ａ）と第２の高周波信号（点線Ｂ）との間に位相差が生じ、位相差が生じた分、実線Ａの信号と点線Ｂの信号との間の大小関係が逆転してＣ信号が出力される。このＣ信号がハイレベルになったことでパーフォレーション１０３が金属片１１と圧板１３の間を通過したことが検出される。したがって、このＣ信号の状態変化をＣＰＵ１１０により検出すれば、パーフォレーション１０３のカウントを精度良く行なえる。
【００２５】
このようなセンサが配備された信号処理部の構成を説明する。
【００２６】
図４はカメラ内部に配備された信号処理部の構成を示す図である。
【００２７】
図４に示すように、信号処理部内にはこのカメラ１の動作を統括的に制御するＣＰＵ１１０が配備されている。
【００２８】
そのＣＰＵ１１０でこのカメラの動作を制御するに当たり、ＣＰＵ１１０はバッテリ１１１に必要な電力が残っているかどうかのチェックを、検出回路１１２を用いて行なっている。このチェックによりバッテリ１１１の残量が少ないことをＣＰＵ１１０で検出した場合には、ＣＰＵ１１０はＬＣＤ１１３の表示パネル上に警告メッセージを表示し、このカメラ１の使用に制限を加える。なお本実施形態のＣＰＵ１１０はバッテリ１１１の電源電圧ではなく、バッテリ１１１の電圧とは異なる電圧で動作するものであるので、ＤＣ／ＤＣコンバータ１１１ａにより電源電圧を異なる電圧に変換してＣＰＵ１１０に供給している。
【００２９】
カメラ１として動作するためのバッテリ１１１の容量が検出回路でチェックされバッテリ１１１の容量が確保されていることがＣＰＵ１１０により確認されたらＣＰＵ１１０は処理を開始する。
【００３０】
このカメラで撮影を行なおうとして、パトローネ１０１がフィルム装填室１ｂに装填されたらまずパトローネ１０１のＤＸコードがＤＸ接点部１１４を介してＣＰＵ１１０に入力される。このＣＰＵ１１０に入力されたＤＸコードをＣＰＵ１１０はＲＡＭ１１０ｂ内に記憶しておき、カメラ動作の処理を行う際、そのＤＸコードが必要なときに随時ＲＡＭ１１０ｂからその記憶したＤＸコードを読み出し使用する。
【００３１】
カメラ内のフィルム装填室１ｂにパトローネ１０１が装填されたら、ＣＰＵ１１０は撮影を行なえるように写真フィルムの撮影駒を給送し、いつでも撮影を行なえるように準備を行なう。
【００３２】
撮影の準備が整えられたら、レリーズ釦１１７が押下されて撮影が行なわれる。この撮影が行なわれるときに撮影に必要な被写体距離情報や被写界輝度情報を得るための測距部１１５と測光部１１６もこのＣＰＵ１１０により制御されており、ＣＰＵ１１０はレリーズ操作に応じて測距部１１５に測距を、測光部１１６に測光を行なわせた後、シャッタを駆動して露出を行なわせている。この測距部１１５での測距結果に応じてはレンズ鏡胴を繰出し撮影レンズを合焦点に配置し、測光部１１６の測定結果に応じては、このカメラが備えるプログラムシャッタのシャッタ速度と絞りの組み合わせを決めている。そしてレリーズ釦の全押し操作に応じてそのシャッタ速度と絞りの組み合わせに応じた開放速度と開放時間で絞り兼用のシャッタを開閉させている。
【００３３】
この測距部１１５による測距や測光部１１６による測光はレリーズ操作ごとに行なわれており、ＣＰＵ１１０にレリーズ操作の開始が知らされると測光、測距といった一連の処理が行なわれる。
【００３４】
本実施形態のＣＰＵ１１０の内部にはこのカメラ動作の処理手順が記されたプログラムが格納されたＲＯＭ１１０ａが内蔵されており、このＲＯＭ１１０ａ内のプログラムによりこのカメラの動作がすべて制御される。このＣＰＵ１１０には作業領域としてＲＡＭ１１０ｂも配備されており、このＲＡＭ１１０ｂに処理用のフラグやＤＸコードといったものが記憶され、そのフラグやデータの内容に応じた処理が適宜行なわれる。さらに電源がオフされたときにＲＡＭ１１０ｂの内容を一旦退避させたり、その退避した記憶内容をＲＡＭ１１０ｂに読み出したりするためのＥＥＰＲＯＭ１１０ｃも配備されている。
【００３５】
このカメラには、レリーズ操作に応じてレンズ鏡胴を繰出したり、シャッタを開閉したりするため、シャッタ羽根を駆動するアイリスモータ（Ｉ．Ｍ）１１０１やレンズ鏡胴モータ（Ｌ．Ｍ）１１０２が配備されている。またレリーズ操作が完了した後、次の撮影に備えた写真フィルムを給送するための給送モータ（Ｆ．Ｍ）１１０３も配備されている。これらのモータの動作はすべてＣＰＵ１１０により制御され、ＣＰＵ１１０からドライバ１１００へ指示を与えてそれらモータを駆動する。このＣＰＵ１１０とドライバ１１００とが本発明にいうモータ駆動回路に当たる。なお、図２にはそれらのモータに対応する略語をそれぞれ示してある。
【００３６】
また、これらのモータ１１０１〜１１０３の動作が正しく行なわれたかどうかをチェックするために動作チェック用のセンサが多数設けられており、そのセンサの中に図２のコンデンサとして作用する部分１４と位相差検出回路１５とからなるセンサがある。
【００３７】
図５を参照して信号処理部内のＣＰＵ１１０でどのような処理が行なわれるかを説明する。
【００３８】
図５はＣＰＵ１１０がＲＯＭ１１０ａ内のプログラムに基づいて行なう処理のうち、レリーズ処理の手順を示すフローチャートである。このフローの処理はレリーズの開始を知らせる信号がＣＰＵ１１０に供給されたときに始まる。
【００３９】
ステップ５０１ではレリーズ処理を行なうに当たり、まずバッテリの容量が充分であるかどうかを検出部１１２からの検出信号に基づいてチェックする。ステップＳ５０２でバッテリに充分な容量があると判定した場合には、Ｎｏ側へ進み、ステップＳ５０３でＤＸ接点を介してＤＸコードの読み込みを行なう。次のステップＳ５０４で測光部１１６に測光を行なわせ、続いてステップＳ５０５測距部１１５に測距を行なわせる。ステップＳ５０６で、測距部の測定結果に応じた合焦点位置に撮影レンズを配置するようにレンズ鏡胴モータに指示を与えてレンズ鏡胴を繰り出し、撮影レンズを合焦点位置に配置する、ステップＳ５０７でレリーズ釦が全押しされ、そのレリーズ信号ＳＰ１がＣＰＵ１１０に供給されたら、Ｙｅｓ側に進み露出処理を行なう。レリーズ釦が全押しされず、レリーズ信号ＳＰ１が供給されなかったらこのステップＳ５０７でレリーズ釦の全押しを待つ。
【００４０】
レリーズ信号ＳＰ１が供給され、ステップＳ５０８で露出処理が完了したら、次のステップＳ５０９でドライバに指示を与えて、レンズ鏡胴をレンズ鏡胴モータ１１０２によりホームポジションに戻し待機させ、さらに次のステップＳ５１０で、給送モータ１１０３に指示を出し、次の撮影に備えて写真フィルムを一駒給送する。この写真フィルムを給送するときに図２に示したセンサが使用される。
【００４１】
次のステップＳ５１１では、レリーズ釦が押下されたままであるかどうかをチェックし、全押しされたままになっていたら、ステップＳ５１１を繰り返し、レリーズ釦が押下されたままになっておらず、レリーズ釦１１７が押下される前の元の位置に復帰していたらＮｏ側に進み、このレリーズ処理を終える。
【００４２】
ここでステップＳ５１０の処理を詳細に説明し、図２のセンサによるパーフォレーションのカウントが処理中のどこで行なわれるかを説明する。
【００４３】
図６は一駒送り処理のフローを示すフローチャートである。
【００４４】
ステップＳ６０１でパーフォレーションのカウントを行なう準備としてカウンタを０にリセットする。図中には一駒分の給送を行なうためにカウントされるパーフォーレションのカウント値をリセットするので、送りパーフォ＝０と記載してある。ステップＳ６０２で給送モータに通電を行ない、写真フィルムを給送し始める。次のステップＳ６０３で図２のセンサによりパーフォレーショのカウントを行ない、次のステップＳ６０４でタイムオーバになるかどうかを判定する。ここでタイムオーバにならなかったら給送を行なえる状態であると判定してＮｏ側へ進み、パーフォレーションのカウント数が一駒分のパーフォレーション数８に達するまで給送を続ける。ステップＳ６０５でパーフォレーションの数が８に達したら、Ｙｅｓ側に進み、給送モータ１１０３の通電を停止する。そして写真フィルムの撮影駒数のカウントをインクリメントして、そのインクリメントした撮影駒のカウント数をＬＣＤ１１３に表示する。
【００４５】
またステップＳ６０４でタイムオーバが起きたら、Ｙｅｓ側に進み、モータの通電を停止し、さらにモータに逆通電を行なって巻き戻し処理を行なう。
【００４６】
以上が一駒送り処理時のＣＰＵ１１０の処理動作である。
【００４７】
ここでステップＳ６１０の巻き戻し処理のフローを説明する。
【００４８】
図７は、巻き戻し処理のフローを示すフローチャートである。
【００４９】
ステップＳ７０１で、モータの逆通電を行ない、ステップＳ７０２でＬＣＤにカウント表示を行なう。ステップＳ７０３でセンサ１４によりパーフォレーションのカウントを行ない、次のステップＳ７０４でタイムオーバを起こらなかったらＮｏ側へ進み、パーフォレーションのカウントに基づきフィルムの駒数のカウントを行なう。この撮影駒の駒数のカウント値をＬＣＤに表示する。ステップＳ７０３〜ステップＳ７０６の一連の処理を繰り返し、ステップＳ７０４でタイムオーバが起こったら、フィルムエンドまで達したと判定してＹｅｓ側に進み、モータの通電を停止する。ステップＳ７０８でフィルムの巻き戻しが終了したことをＬＣＤの表示画面上に表示して巻き戻し処理を終える。
【００５０】
以上が巻き戻しを行なうときのＣＰＵ１１０の処理である。
【００５１】
本実施形態のカメラはプリワインド方式のものであって良く、そのときには、予備巻き処理が行なわれる。このときにも静電容量の変化を検出するセンサ１４でパーフォレーションの数がカウントされる。
【００５２】
図８は予備巻き処理のフローを示すフローチャートである。
【００５３】
ステップＳ８０１ではフィルム装填室１ｂにパトローネ１０１が装填されたときに、フィルムカウントを０にリセットし、次のステップＳ８０２で給送モータを通電する。
【００５４】
本実施形態のカメラではドロップインローディングと呼ばれる初期送りを行なっており、ステップＳ８０３では写真フィルムをスプール側に自動的に巻き取り、巻上げを行なう。そして次のステップＳ８０４で巻上げのカウント数０が表示される。
【００５５】
そして次のステップＳ８０５で撮影駒のカウントを行なうためのパーフォレーションのカウントを行ない、次のステップＳ８０６でタイムオーバが起きたかどうかを判定する。ここでタイムオーバが起こらなかったら、Ｎｏ側へ進み、ステップＳ８０７でパーフォレーションの数が一駒分の８になったかどうかを判定する。パーフォレーションのカウント数が８に達しなかったらＮｏ側へ進み、ステップＳ８０５に戻って引き続き撮影枚数をカウントするためパーフォレーションのカウントを行なう。
【００５６】
ステップＳ８０７で送りパーフォが８に達したらＹｅｓ側へ進み、ステップＳ８０８で写真フィルムの撮影駒の枚数をインクリメントし、そのカウント数をステップＳ８０９で順次ＬＣＤに表示していく。
【００５７】
そして、ステップＳ８０８で最終撮影駒までカウントし、ステップＳ８０６でタイムオーバが起きたと判定したら、ステップＳ８１０で給送モータの通電を停止する。その後、ステップＳ８１１で一駒分の給送を行なったらこのフローの処理を終える。
【００５８】
このようにプリワイド方式のカメラの場合であっても、最終撮影駒から一駒ずつ写真フィルムの給送が静電容量の変化を検出するセンサ１４の検出結果に基づいて行なわれる
このように写真フィルムの給送を行なうときに静電容量センサによりパーフォレーションの数を精度良くカウントすることができ、巻上げ処理、巻き戻し処理いずれの場合においても精度良くパーフォレーションのカウントを行なえる。また写真フィルムの削れかすの影響を受けることもないので誤ったカウントを行うこともない。
【００５９】
なお、本実施形態のカメラでは、パトローネを例に挙げたが、フィルムカートリッジ内にロール状の写真フィルムが巻回されたもの、たとえばＡＰＳフィルムのようなものであっても良い。
【図面の簡単な説明】
【００６０】
【図１】本実施形態のカメラの構成を示す図である。
【図２】写真フィルムのパーフォレーションを検出するためのセンサの構成を示す図である。
【図３】位相差検出回路から出力される信号の波形を示す波形図である。
【図４】図１のカメラに配備された信号処理部の構成を示す図である。
【図５】レリーズ処理を示すフローチャートである。
【図６】図５のステップＳ５１０の詳細を示すフローチャートである。
【図７】図６のステップＳ６１０の巻き戻し処理の詳細を示すフローチャートである。
【図８】このカメラがプリワインド方式のカメラでった場合の予備巻き処理を示すフローチャートである。
【符号の説明】
【００６１】
１    カメラ
１ａ    撮影面
１ｂ    装填室
１ｃ    スプール側
１１    金属片
１２    裏蓋
１３    圧板
１４    コンデンサとして作用する部分
１５    位相差検出回路
１０１    パトローネ
１０２    写真フィルム
１０３    パーフォレーション
１１０    ＣＰＵ
１１０ａ    ＲＯＭ
１１０ｂ    ＲＡＭ
１１０ｃ    ＥＥＰＲＯＭ
１１１    バッテリ
１１１ａ    ＤＣ／ＤＣコンバータ
１１２    検出回路
１１３    ＬＣＤ
１１４    ＤＸコード接点部
１１５    測距部
１１６    測光部
１１７    レリーズ釦
【図１】
2005043691.tif 000003
【図２】
2005043691.tif 000004
【図３】
2005043691.tif 000005
【図４】
2005043691.tif 000006
【図５】
2005043691.tif 000007
【図６】
2005043691.tif 000008
【図７】
2005043691.tif 000009
【図８】
2005043691.tif 000010